(57)【要約】      （修正有）【課題】開口部の被せ蓋の囲いマチを、折り畳み重ねの開閉囲いマチ構造とした、中空なコインケースからなる小銭入れを提供する。【解決手段】中空なコインケースに設けた開口部の被せ蓋の内側に、開閉部マチと両側面部マチで構成された、折り畳み重ねの開閉囲いマチを設けた。【選択図】図２
0003224415.tif 000002
【実用新案登録請求の範囲】
【請求項１】
中空なコインケースに設けた開口部の被せ蓋の内側に、開閉部マチと両側面部マチで構成された、折り畳み重ねの開閉囲いマチを設けた小銭入れ。
【請求項２】
請求項１からなる小銭入れを、財布に取り付けた、小銭入れ付き財布。
【考案の詳細な説明】
【技術分野】
【０００１】三方辺が閉塞され、残る一方辺を、被せ蓋を設けた開口部とする、中空なコインケースからなる小銭入れの、その開口部の被せ蓋の構造に関する。
【背景技術】
【０００２】三方辺が閉塞され、残る一方辺を、被せ蓋を設けた開口部とする、中空なコインケースからなる、一般的タイプの小銭入れの被せ蓋は、単に、閉じ開きするだけの被せ蓋として構成されている。
それに対し、三方辺が閉塞され、残る一方辺を、被せ蓋を設けた開口部とする、中空なコイケースからなる、馬蹄型と呼ばれる馬蹄型小銭入れの、その開口部の被せ蓋は、被せ蓋の内側内周が、コインケース外周に挿入合致する、固定された囲いマチで囲われた構造であった。
【考案の概要】
【考案が解決しようとする課題】
【０００３】小銭を一番取り出し易い小銭入れは、馬蹄型小銭入れと思われるが、その馬蹄型小銭入れは、中空なコインケースに収納されている小銭を、一旦、開き開けられた被せ蓋の内側面に設けられた囲いマチの中に滑りださせ、その広々とした被せ蓋の内側面から、小銭を取り出せると云う大きな利点があった。
その反面、コインケースの外周面と、被せ蓋の内周面とを、お互いを差し込み合致する、立上げた形が固定されて崩れない囲いマチを設けなければならない、高度な熟練職人の技術を要すると云う課題と、その熟練技術を要する課題と絡んで価格が高いという課題もあった。
それに対し、開口部の被せ蓋を、閉じ開きするだけの比較的簡単な構造で構成されている、中空なコインケースからなる一般的な小銭入れは、価格面では馬蹄型小銭入れよりも安価ではあるが、フアスナー式やその他の小銭入れと同じように、開き幅が制限された狭い開口部から、コインケースの中の小銭を摘まみ出す、小銭の出し入れが窮屈という問題があった。
【課題を解決するための手段】
【０００４】本考案は、中空なコインケースからなる小銭入れの、その被せ蓋の内側に、折り畳み重ねの開閉囲いマチを設けるのを狙いとする。
【考案の効果】
【０００５】本考案の、中空なコインケースの開口部の被せ蓋の内側に、折り畳み重ねの開閉囲いマチを設けた小銭入れは、被せ蓋がコインケースの上に被せ閉じられている時は、折り畳み重ねの開閉囲いマチは、被せ蓋と平面で重なり、存在しないかのように一体化して閉じられているが、
被せ蓋を開き開け、折り畳み重ねの開閉囲いマチを引き起こし開けると、被せ蓋の内側に、囲いマチが立ち起きるので、馬蹄型小銭入れと同じように、コインケースの中に収納されている小銭を、広々とした被せ蓋の内側面に滑り出させてから簡単快適に取り出せる。
さらに、制作に於ける高度な熟練技術の必要性の課題と、その高度な熟練技術に伴う高価格の課題も解消される。
【図面の簡単な説明】
【０００６】
【図１】は、中空なコインケース（１）の、開口部（２）の被せ蓋（３）の内側に、固定された囲いマチ（４）を設けた、既存の馬蹄型小銭入れを、斜視図で示したものである。
【図２】は、中空なコインケース（１）の、開口部（２）の被せ蓋（３）の内側に、開閉部マチ（６）と両側面部マチ（７）からなる、折り畳み重ねの開閉囲いマチ（５）を設けた、本考案からなる小銭入れを、斜視図で示したものである。被せ蓋（３）の内側に設けた、折り畳み重ねの開閉囲いマチ（５）の、開閉部マチ（６）が中途な状態で引き起こされ、それに伴い、両側面部マチ（７）も中途な状態で起き上がっている状態を示したものである。開閉部マチ（６）を９０度ほどに開き起こしてやると、側面部マチ（７）も、ほぼ直立で囲いマチを形成する。
【図３】は、中空なコインケース（１）の、開口部（２）の被せ蓋（３）の内側に、開閉部マチ（６）と両側面部マチ（７）からなる、折り畳み重ねの開閉囲いマチ（５）を設けた、本考案からなる小銭入れの、被せ蓋（３）を、中空なコインケース（１）の上に重ね閉じて、開口部（２）を塞ぎ閉じた例を、斜視図で示したものである。開閉部マチ（６）と両側面部マチ（７）は、平面状態で、中空なコインケース（１）と、被せ蓋（３）の、内側の間に、畳み重ねられて閉じられている。
【図４】は、本考案からなる小銭入れを、紙幣やカードを収納する二つ折り財布（８）に取り付けた、本考案の、第二実施例からなる、小銭入れ付き財布を、平面図で示したものである。開いた二つ折り財布の、カード入れケース（９）の反対片側に、小銭入れを装着固定し、被せ蓋（３）が開かれた状態で示している。折り畳み重ねの開閉囲いマチ（５）の、開閉部マチ（６）と両側面部マチ（７）は、閉じられた状態である。
【図５】は、本考案からなる小銭入れを、紙幣やカードを収納する、二つ折り財布（８）に取り付けた、本考案の、第二実施例からなる、小銭入れ付き財布を、側面図で示したものである。開いた二つ折り財布の、カード入れケース（９）の反対片側に、小銭入れを装着固定し、被せ蓋（３）が開かれた状態で示している。折り畳み重ねの開閉囲いマチ（５）の開閉部マチ（６）と両側面部マチ（７）は、開き起こされた状態である。
【図６】は、本考案からなる小銭入れを、紙幣やカードを収納する、二つ折り財布（８）に取り付けた、第二実施例からなる、本考案の小銭入れ付き財布を、側面図で示している。開いた二つ折り財布の、カード入れケース（９）の反対片側に、小銭入れを装着固定し、被せ蓋（３）が、コインケース（１）の上に被せ閉じられた状態で示している。折り畳み重ねの開閉囲いマチ（５）の、開閉部マチ（６）と両側面部マチ（７）は、閉じられている。
【考案を実施するための形態】
【０００７】本考案は、中空なコインケースからなる小銭入れの、開口部の被せ蓋の内側に、折り畳み重ねの開閉囲いマチを設けるのを狙いとする。
【第一実施例】
【０００８】  従来の馬蹄型小銭入れは、［図１］で示すように、中空なコインケース（１）の、開口部（２）に連結された被せ蓋（３）の内側面に設けられた、囲いマチ（４）は、コインケース（１）の外周面に差し込み合致する形状の、立ち起き上がり状態で固定された、形崩れしない囲いマチ（４）として構成されていた。
これに対し、本考案からなる小銭入れは、［図２］で示すように、中空なコインケース（１）の、開口部（２）に連結された、被せ蓋（３）の内側面に、折り畳み重ねの開閉囲いマチ（５）を設けたものである。尚、折り畳み重ねの開閉囲いマチ（５）は、開閉部マチ（６）と、両側面部マチ（７）とで構成されている。
これにより、本考案の、中空なコインケース（１）からなる小銭入れ財布の、開口部（２）に連結された被せ蓋（３）の内側面に設けられた、折り畳み重ねの開閉囲いマチ（５）は、
被せ蓋（３）閉じられている時は、［図３］で示すように、開閉部マチ（６）と、両側面部マチ（７）の双方共に、被せ蓋（３）の内側面と、コインケース（１）の上面との間に、閉じ伏せられた状態で畳み重ねられているが、
被せ蓋（３）を開き開けて使用する時は、［図２］で示したように、開閉部マチ（６）を引き起こすことで、両側面部マチ（７）も連動して立ち起き、被せ蓋（３）の、内側面の折り畳み重ねの開閉囲いマチ（５）に、小銭を滑り出させても、その小銭をしっかりと受け止める。
【第二実施例】
【０００９】  本考案の第一実施例からなる小銭入れを、［図４］で示すように、カード収納ケース（９）などを設けた財布（８）に取り付け、これをもって、本考案の第二実施例からなる、小銭入れ付き財布とする。
この、本考案の第二実施例からなる、小銭入れ付き財布の、被せ蓋（３）の、折り畳み重ねの開閉囲いマチ（５）を開く時は、［図５］で示すように、開閉部マチ（６）を直立に引き起こすと、両側面部マチ（７）も連動して、直立に立ち起こされる。
そして、被せ蓋（３）の、折り畳み重ねの開閉囲いマチ（５）を閉じる時は、［図６］で示すように、開閉部マチ（６）を閉じ伏せると、両側面部マチ（７）も連動して閉じ伏すので、そのまま、中空なコインケース（１）の上面に、被せ蓋（３）と一緒に折り返して重ねて閉じられる。
本考案の第二実施例からなる小銭入れ付き財布は、小銭が取り出しにくい小銭入れを取り付けた財布に比べ、開き開けられて広々とした被せ蓋（３）の内側の、折り畳み重ねの開閉囲いマチ（５）の中に、小銭を、滑り出させて快適に摘まめるので、財布の使い勝手が、格段に向上したものである。
なお、折り畳み重ねの函マチ構造の全体で、四方の側面と天井面を囲い塞ぎ、その天井面を開放して使用するボックス型小銭入れの構造と、中空なコインケース（１）の、開口部（２）の被せ蓋（３）に、折り畳み重ねの開閉囲いマチ（５）を設けた、本考案からなる小銭入れの構造とは、構造が、似て非なるものである。
又、図面は省略するが、中空なコインケースの開口部に、単なる開閉だけの構成からなる被せ蓋を設けた財布の中の一部に、被せ蓋の外周コバの折り返しマチの幅を、外周コバの縫い目線よりも内側に大きく残し、その大きな折り返しマチ設けた被せ蓋を、手で掴み、挟み押さえて、被せ蓋の底面盤を、凹み窪ませ、結果、大きめな折り返しマチを、囲いマチとして活用している小銭入れが既存するが、本考案からなる小銭入れとは、構造的に大きく相違する。
さらに、本考案の第二実施例では、二つ折り財布を参考にして展開しているが、財布を、二つ折り財布に限定するものでは無く、三つ折り財布を初め、長財布、その他諸々のタイプからなる財布でも、一向にかまわないものである。
【符号の説明】
【００１０】  １  コインケース
２  開口部
３  被せ蓋
４  囲いマチ
５  折り畳み重ねの開閉囲いマチ
６  開閉部マチ
７  両側面部マチ
８  財布
９  カードケース
１０  札入れ
折り畳み重ねの開閉囲いマチ（５）は、開閉部マチ（６）と、両側面部マチ（７）とで構成されるので、図面上で（５）の符号の表記は省略されている。
【図１】
0003224415.tif 000003
【図２】
0003224415.tif 000004
【図３】
0003224415.tif 000005
【図４】
0003224415.tif 000006
【図５】
0003224415.tif 000007
【図６】
0003224415.tif 000008